【手続補正書】
【提出日】平成16年12月2日(2004.12.2)
【手続補正１】
【補正対象書類名】明細書
【補正対象項目名】発明の名称
【補正方法】変更
【補正の内容】
【発明の名称】無線通信装置および無線通信方法
【手続補正２】
【補正対象書類名】明細書
【補正対象項目名】特許請求の範囲
【補正方法】変更
【補正の内容】
【特許請求の範囲】
【請求項１】
第１の情報処理装置が第２の情報処理装置と通信するために、上記第１の情報処理装置と接続する無線通信装置において、
上記第１の情報処理装置から、第１のパケットと第２のパケットとを受信する受信手段と；
上記第１の情報処理装置から上記無線通信装置に送信された上記第１のパケットと第２のパケットとの間隔を計測する計測手段と；
送信側における上記第１のパケットと第２のパケットとの間隔と、受信側における上記第１のパケットと第２のパケットとの間隔とを、上記第２の情報処理装置が一致させることができるように、上記計測手段が計測した間隔の情報と共に、第１のパケットを上記第２の情報処理装置に送信する送信手段と；
を有することを特徴とする無線通信装置。
【請求項２】
請求項１において、
上記計測手段が計測した間隔は、上記第１のパケットと第２のパケットとを上記受信手段が受信した間隔に基づくことを特徴とする無線通信装置。
【請求項３】
請求項１において、
上記計測手段は、調歩同期方式のストップビットとスタートビットとの間隔を計測することを特徴とする無線通信装置。
【請求項４】
請求項１において、
上記計測手段は、フレーム同期方式の終了同期信号と開始同期信号との間隔を計測することを特徴とする無線通信装置。
【請求項５】
第２の情報処理装置が第１の情報処理装置と通信するために、上記第２の情報処理装置と接続する無線通信装置において、
上記第１の情報処理装置から送信されたパケットを受信する受信手段と；
上記受信手段が受信したパケットと共に送られてきた情報であり、上記第１の情報処理装置から他の無線通信装置に送信されたパケット間隔を、上記第１の情報処理装置が計測した結果を示す情報を識別する識別手段と；
上記識別手段が識別した情報に基づく間隔に一致させて、上記受信手段が受信したパケットを上記第２の情報処理装置に送信する送信手段と；
を有することを特徴とする無線通信装置。
【請求項６】
請求項５において、
上記情報は、上記第１の情報処理装置において調歩同期方式のストップビットとスタートビットとの間隔を計測した結果であることを特徴とする無線通信装置。
【請求項７】
請求項５において、
上記情報は、上記第１の情報処理装置においてフレーム同期方式の終了同期信号と開始同期信号との間隔を計測した結果であることを特徴とする無線通信装置。
【請求項８】
外部インタフェースを介して、情報処理装置と接続する無線通信装置において、
上記情報処理装置から上記無線通信装置に送信されたパケット間の時間間隔を計測する計測手段と；
上記計測手段が計測した時間間隔に一致して、通信相手から上記通信相手に接続する情報処理装置にパケットが送信されるように、上記計測手段が計測した時間間隔に関する情報を含む通信フレームを生成する生成手段と；
上記生成手段が生成した通信フレームを使って、上記通信相手と無線通信する通信手段と；
を有することを特徴とする無線通信装置。
【請求項９】
外部インタフェースを介して、情報処理装置と接続する無線通信装置において、
他の無線通信装置と他の情報処理装置との間で通信されたパケットの時間間隔を、上記他の無線通信装置が計測した情報を含む通信フレームを受信する受信手段と；
上記受信手段が受信した通信フレームに含まれている上記情報を判別する判別手段と；
上記判別手段が判別した情報に基づく時間間隔に一致させて、上記外部インタフェースを介して上記情報処理装置に送信する送信手段と；
を有することを特徴とする無線通信装置。
【請求項１０】
第１の情報処理装置が第２の情報処理装置と通信するために、上記第１の情報処理装置と接続する無線通信装置の無線通信方法において、
上記第１の情報処理装置から、第１のパケットと第２のパケットとを受信する受信工程と；
上記第１の情報処理装置から上記無線通信装置に送信された上記第１のパケットと第２のパケットとの間隔を計測する計測工程と；
送信側における上記第１のパケットと第２のパケットとの間隔と、受信側における上記第１のパケットと第２のパケットとの間隔とを、上記第２の情報処理装置が一致させることができるように、上記計測工程で計測した間隔の情報と共に第１のパケットを上記第２の情報処理装置に送信する送信工程と；
を有することを特徴とする無線通信方法。
【請求項１１】
第２の情報処理装置が第１の情報処理装置と通信するために、上記第２の情報処理装置と接続する無線通信装置の無線通信方法において、
上記第１の情報処理装置から送信されたパケットを受信する受信工程と；
上記受信工程で受信されたパケットと共に送られてきた情報であり、上記第１の情報処理装置から他の無線通信装置に送信されたパケット間隔を、上記第１の情報処理装置が計測した結果を示す情報を識別する識別工程と；
上記識別工程で識別した情報に基づく間隔に一致させて、上記受信工程で受信したパケットを上記第２の情報処理装置に送信する送信工程と；
を有することを特徴とする無線通信方法。
【請求項１２】
外部インタフェースを介して、情報処理装置と接続する無線通信装置の無線通信方法において、
上記情報処理装置から、上記無線通信装置に送信されたパケット間の時間間隔を計測する計測工程と；
上記計測工程で計測した時間間隔に一致して通信相手から上記通信相手に接続する情報処理装置にパケットが送信されるように、上記計測工程で計測された時間間隔に関する情報を含む通信フレームを生成する生成工程と；
上記生成工程で生成した通信フレームを使って、上記通信相手と無線通信する通信工程と；
を有することを特徴とする無線通信方法。
【請求項１３】
外部インタフェースを介して、情報処理装置と接続する無線通信装置の無線通信方法において、
他の無線通信装置と他の情報処理装置との間で通信されたパケットの時間間隔を上記他の無線通信装置が計測した情報を含む通信フレームを受信する受信工程と；
上記受信工程で受信した通信フレームに含まれている上記情報を判別する判別工程と；
上記判別工程で判別された情報に基づく時間間隔に一致させて、上記外部インタフェースを介して上記情報処理装置に送信する送信工程と；
を有することを特徴とする無線通信方法。
【手続補正３】
【補正対象書類名】明細書
【補正対象項目名】０００１
【補正方法】変更
【補正の内容】
【０００１】
【発明の属する技術分野】
本発明は、無線通信装置および無線通信方法に関し、たとえば、受信側の無線機器が情報処理装置にパケットを送信する際に、送信側の時間間隔を再現できるようにした無線通信装置および無線通信方法に関するものである。
【手続補正４】
【補正対象書類名】明細書
【補正対象項目名】００１４
【補正方法】変更
【補正の内容】
【００１４】
本発明は、パケットの間隔のばらつきを押さえ、無線区間を使ってパケット伝送した時も、送信側と受信側のパケット間隔の同期をとることができるようにすることを目的とする。
【手続補正５】
【補正対象書類名】明細書
【補正対象項目名】００１５
【補正方法】変更
【補正の内容】
【００１５】
【課題を解決するための手段】
本発明は、第１の情報処理装置が第２の情報処理装置と通信するために、上記第１の情報処理装置と接続する無線通信装置において、上記第１の情報処理装置から、第１のパケットと第２のパケットとを受信する受信手段と、上記第１の情報処理装置から上記無線通信装置に送信された上記第１のパケットと第２のパケットとの間隔を計測する計測手段と、送信側における上記第１のパケットと第２のパケットとの間隔と、受信側における上記第１のパケットと第２のパケットとの間隔とを、上記第２の情報処理装置が一致させることができるように、上記計測手段が計測した間隔の情報と共に、第１のパケットを上記第２の情報処理装置に送信する送信手段とを有することを特徴とする無線通信装置およびその無線通信方法である。
また、第２の情報処理装置が第１の情報処理装置と通信するために、上記第２の情報処理装置と接続する無線通信装置において、上記第１の情報処理装置から送信されたパケットを受信する受信手段と、上記受信手段が受信したパケットと共に送られてきた情報であり、上記第１の情報処理装置から他の無線通信装置に送信されたパケット間隔を、上記第１の情報処理装置が計測した結果を示す情報を識別する識別手段と、上記識別手段が識別した情報に基づく間隔に一致させて、上記受信手段が受信したパケットを上記第２の情報処理装置に送信する送信手段とを有することを特徴とする無線通信装置およびその無線通信方法である。
また、外部インタフェースを介して、情報処理装置と接続する無線通信装置において、上記情報処理装置から上記無線通信装置に送信されたパケット間の時間間隔を計測する計測手段と、上記計測手段が計測した時間間隔に一致して、通信相手から上記通信相手に接続する情報処理装置にパケットが送信されるように、上記計測手段が計測した時間間隔に関する情報を含む通信フレームを生成する生成手段と、上記生成手段が生成した通信フレームを使って、上記通信相手と無線通信する通信手段とを有することを特徴とする無線通信装置およびその無線通信方法である。
また、外部インタフェースを介して、情報処理装置と接続する無線通信装置において、他の無線通信装置と他の情報処理装置との間で通信されたパケットの時間間隔を、上記他の無線通信装置が計測した情報を含む通信フレームを受信する受信手段と、上記受信手段が受信した通信フレームに含まれている上記情報を判別する判別手段と、上記判別手段が判別した情報に基づく時間間隔に一致させて、上記外部インタフェースを介して上記情報処理装置に送信する送信手段とを有することを特徴とする無線通信装置およびその無線通信方法である。
【手続補正６】
【補正対象書類名】明細書
【補正対象項目名】００５２
【補正方法】変更
【補正の内容】
【００５２】
【発明の効果】
以上説明したように、本発明によれば、パケット間隔のばらつきを押さえ、無線区間を使ってパケット伝送した時も、送信側と受信側のパケットの間隔の同期をとることができる効果がある。